(57)【特許請求の範囲】
【請求項１】
HEW（high-efficiency  wireless  local-area  network）局であって、
HEWマスター局から第１の持続時間を含むトリガーフレームを受信し、
前記第１の持続時間に基づいて第２の持続時間を決定し、
前記第２の持続時間を示すフィールドを含むパケットを生成し、
上りリンク送信機会において前記第２の持続時間を示す前記フィールドを含む前記パケットを、直交周波数分割多元アクセス（OFDMA：orthogonal  frequency  division  multiple-access）と、マルチユーザMIMO（MU-MIMO：multiple-user  multiple-input  multiple-output）とのうち少なくとも１つに従って、前記マスター局に送信し、
前記パケットが前記第２の持続時間より短い所定の持続時間である場合、電力節約モードに入るように構成された回路を含むHEW局。
【請求項２】
前記第２の持続時間を示す前記フィールドは、レガシー信号フィールドと、媒体アクセス制御（MAC：media  access  control）プロトコルデータユニット（MPDU：MAC  Protocol  Data  Unit）の媒体アクセス制御持続時間と、集約MPDU（A-MPDU：aggregate  MPDU）とのうち１つである、請求項１に記載のHEW局。
【請求項３】
前記トリガーフレームは、リソースマップを含み、前記回路は、前記リソースマップで示されたチャネルで前記パケットを送信するように更に構成される、請求項１に記載のHEW局。
【請求項４】
前記第２の持続時間は、前記第１の持続時間からプリアンブル持続時間の持続時間、物理ヘッダ持続時間、２つのSIFS（short  interframe  space）持続時間及びマルチユーザブロック確認応答持続時間を引いたものであり、前記プリアンブル持続時間は、前記パケットのプリアンブルの持続時間であり、前記物理ヘッダ持続時間は、前記パケットの物理ヘッダの持続時間である、請求項１に記載のHEW局。
【請求項５】
前記第２の持続時間は、前記マスター局が前記パケットの確認応答を送信する前の１つのSIFS（short  interframe  space）まで及ぶように決定される、請求項１に記載のHEW局。
【請求項６】
前記第２の持続時間は、前記パケットが前記送信機会のために許容されている最大の持続時間の終わりまで及ぶように決定される、請求項１乃至５のうちいずれか１項に記載のHEW局。
【請求項７】
前記トリガーフレームは、前記マスター局により複数のHEW局に送信される、請求項１乃至５のうちいずれか１項に記載のHEW局。
【請求項８】
前記回路は、前記パケットが送信された後に電力節約モードに入り、前記第２の持続時間の後に前記電力節約モードから立ち上がるように更に構成される、請求項１乃至５のうちいずれか１項に記載のHEW局。
【請求項９】
前記パケットは、レガシーショートトレーニングフィールド（L-STF：legacy  short-training  field）、レガシーロングトレーニングフィールド（L-LTF：legacy  long-training  field）、レガシー信号フィールド（L-SIG：legacy  signal  field）及び集約媒体アクセス制御（MAC：media  access  control）プロトコルデータユニット（MPDU：MAC  Protocol  Data  Unit）の媒体アクセス制御持続時間を含む、請求項１乃至５のうちいずれか１項に記載のHEW局。
【請求項１０】
前記マスター局は、前記HEW局が前記パケット内で送信する必要があるデータの量を認識していない、請求項１乃至５のうちいずれか１項に記載のHEW局。
【請求項１１】
前記トリガーフレームは、リソースマップを含み、前記回路は、レガシーデバイスを遅らせるために、前記リソースマップに示されたチャネル及び少なくとも１つの他のチャネルで前記パケットを送信するように更に構成される、請求項１乃至５のうちいずれか１項に記載のHEW局。
【請求項１２】
前記第２の持続時間は、前記パケットのレガシー部分で示される、請求項１乃至５のうちいずれか１項に記載のHEW局。
【請求項１３】
前記回路は、IEEE（Institute  of  Electronic  and  Electrical  Engineers）802.11acシンボル持続時間と比較して４倍のシンボル持続時間で送信するように更に構成される、請求項１乃至５のうちいずれか１項に記載のHEW局。
【請求項１４】
前記回路に結合されたメモリを更に含む、請求項１乃至５のうちいずれか１項に記載のHEW局。
【請求項１５】
前記回路に結合された１つ以上のアンテナを更に含む、請求項１４に記載のHEW局。
【請求項１６】
HEW（high-efficiency  wireless  local-area  network）局により実行される方法であって、
HEWマスター局から第１の持続時間を含むトリガーフレームを受信するステップと、
前記第１の持続時間に基づいて第２の持続時間を決定するステップと、
前記第２の持続時間を備えるパケットを生成するステップと、
上りリンク送信機会において前記第２の持続時間を備える前記パケットを、直交周波数分割多元アクセス（OFDMA：orthogonal  frequency  division  multiple-access）と、マルチユーザMIMO（MU-MIMO：multiple-user  multiple-input  multiple-output）とのうち少なくとも１つに従って、前記マスター局に送信するステップと、
前記パケットが前記第２の持続時間より短い所定の持続時間である場合、電力節約モードに入るステップと
を含む方法。
【請求項１７】
前記トリガーフレームは、リソースマップを含み、回路は、前記リソースマップで示されたチャネルで前記パケットを送信するように更に構成される、請求項１６に記載の方法。
【請求項１８】
前記第２の持続時間は、前記第１の持続時間からプリアンブル持続時間の持続時間、物理ヘッダ持続時間、２つのSIFS（short  interframe  space）持続時間及びマルチユーザブロック確認応答持続時間を引いたものであり、前記プリアンブル持続時間が、前記パケットのプリアンブルの持続時間であり、前記物理ヘッダ持続時間が、前記パケットの物理ヘッダの持続時間である、請求項１６に記載の方法。
【請求項１９】
前記第２の持続時間は、前記マスター局が前記パケットの確認応答を送信する前の１つのSIFS（short  interframe  space）まで及ぶように決定される、請求項１６乃至１８のうちいずれか１項に記載の方法。
【請求項２０】
前記第２の持続時間は、前記パケットが前記送信機会のために許容されている最大の持続時間の終わりまで及ぶように決定される、請求項１６乃至１８のうちいずれか１項に記載の方法。
【請求項２１】
前記第２の持続時間は、前記パケットのレガシー部分で示される、請求項１６乃至１８のうちいずれか１項に記載の方法。
【請求項２２】
HEW（high-efficiency  wireless  local-area  network）局による通信のための動作を実行するために、１つ以上のプロセッサにより実行される命令を含むコンピュータプログラムであって、前記命令は、前記HEW局に対して、
HEWマスター局から第１の持続時間を含むトリガーフレームを受信させ、
前記第１の持続時間に基づいて第２の持続時間を決定させ、
前記第２の持続時間を備えるパケットを生成させ、
上りリンク送信機会において前記第２の持続時間を備える前記パケットを、直交周波数分割多元アクセス（OFDMA：orthogonal  frequency  division  multiple-access）と、マルチユーザMIMO（MU-MIMO：multiple-user  multiple-input  multiple-output）とのうち少なくとも１つに従って、前記マスター局に送信させ、
前記パケットが前記第２の持続時間より短い所定の持続時間である場合、電力節約モードに入らせるように、
前記１つ以上のプロセッサを構成するコンピュータプログラム。
【請求項２３】
前記トリガーフレームは、リソースマップを含み、回路は、前記リソースマップで示されたチャネルで前記パケットを送信するように更に構成される、請求項２２に記載のコンピュータプログラム。
【請求項２４】
前記第２の持続時間は、前記第１の持続時間からプリアンブル持続時間の持続時間、物理ヘッダ持続時間、２つのSIFS（short  interframe  space）持続時間及びマルチユーザブロック確認応答持続時間を引いたものであり、前記プリアンブル持続時間が、前記パケットのプリアンブルの持続時間であり、前記物理ヘッダ持続時間が、前記パケットの物理ヘッダの持続時間である、請求項２２又は２３に記載のコンピュータプログラム。
【請求項２５】
請求項２２乃至２４のうちいずれか１項に記載のコンピュータプログラムを記録したコンピュータ読み取り可能記憶媒体。
【発明の詳細な説明】
【技術分野】
【０００１】
［優先権］
この出願は、2014年12月3日に出願された米国仮特許出願第62/087,042号の優先権を主張して、2015年3月27日に出願された米国特許出願第14/671,489の優先権を主張し、それぞれの全内容を参照により援用する。
【０００２】
［技術分野］
実施例は、high-efficiencyローカルエリア無線ネットワーク（HEW：high-efficiency  local-area  wireless  network）に関し、いくつかの実施例は、IEEE（Institute  of  Electrical  and  Electronic  Engineers）802.11axに関する。いくつかの実施例は、直交周波数分割多元アクセス（OFDMA：orthogonal  frequency  division  multiple-access）及び／又はMU-MIMO送信機会に関する。いくつかの実施例は、他の無線デバイスを遅らせるためにHEW局が送信期間内においてパケットの持続時間を設定することに関し、HEW局が全送信機会に送信しないことに関する。
【背景技術】
【０００３】
無線デバイスは、無線媒体を使用して相互に通信する。無線媒体のリソースは、しばしば制限され、無線デバイスのユーザは、無線媒体からのより高速な通信をしばしば要求する。さらに、ユーザは、無線デバイスから、より低い電力の使用及びより長いバッテリ寿命をしばしば要求する。
【０００４】
さらに、１つより多くの標準が無線ローカルエリアネットワーク（WLAN：wireless  local-area  network）でしばしば使用されることがある。例えば、high-efficiency無線ローカルエリアネットワーク（HEW：high-efficiency  wireless  local-area  network）（WLAN）と呼ばれるIEEE802.11axは、IEEE802.11の従来のバージョンと共に使用される必要があることがある。
【０００５】
したがって、無線デバイスの間の通信の動作及び／又は効率を改善し、無線デバイスの電力使用を低減する一般的なニーズが当該技術分野において存在する。
【図面の簡単な説明】
【０００６】
この開示は、添付図面の図面において限定ではなく、例により示され、同様の参照符号は同様の要素を示す。
【図１】いくつかの実施例による無線ネットワークを示す。
【図２】いくつかの実施例に従ってOFDMAが無線媒体を共有するために使用される上りリンク（UL：uplink）送信機会のための方法を示す。
【図３】いくつかの実施例に従ってMU-MIMOが無線媒体を共有するために使用されるUL送信機会のための方法を示す。
【図４】いくつかの実施例に従ってOFDMAが無線媒体を共有するために使用されるUL送信機会のための方法を示す。
【図５】いくつかの実施例に従ってMU-MIMOが無線媒体を共有するために使用されるUL送信機会のための方法を示す。
【図６】いくつかの実施例に従ってOFDMAが無線媒体を共有するために使用されるUL送信機会のための方法を示す。
【図７】いくつかの実施例による物理レイヤコンバージェンス手順（PLCP：physical  layer  convergence  procedure）プロトコルデータユニット（PPDU：PLCP  protocol  data  unit）及びレガシー信号（L-SIG）持続時間のフレームフォーマットを示す。
【図８】いくつかの実施例による上りリンク送信機会のための方法を示す。
【図９】いくつかの実施例によるHEW局及び／又はマスター局を示す。
【発明を実施するための形態】
【０００７】
以下の説明及び図面は、当業者が実施例を実施することを可能にするために、具体的な実施例を十分に示す。他の実施例は、構造的、論理的、電気的、処理的及び他の変更を組み込んでもよい。いくつかの実施例の部分及び機能は、他の実施例のものに含まれてもよく、或いは置換されてもよい。請求項に記載の実施例は、これらの請求項の全ての利用可能な均等物を含む。
【０００８】
図１は、いくつかの実施例による無線ローカルエリアネットワーク（WLAN）を示す。WLANは、アクセスポイント（AP：access  point）でもよいマスター局102と、複数のhigh- efficiency  wireless（HEW）（例えば、IEEE802.11ax）局104と、複数のレガシー（例えば、IEEE802.11n/ac）デバイス106とを含んでもよい基本サービスセット（BSS：basis  service  set）100を含んでもよい。
【０００９】
マスター局102は、送信及び受信のために802.11プロトコルを使用するアクセスポイント（AP）でもよい。マスター局102は、基地局でもよい。マスター局102は、IEEE802.11マスター局でもよい。マスター局102は、HEWマスター局でもよい。マスター局102は、他のプロトコル及び802.11プロトコルを使用してもよい。802.11プロトコルは、802.11axでもよい。802.11プロトコルは、直交周波数分割多元アクセス（OFDMA：Orthogonal  Frequency-Division  Multiple  Access）、時分割多元アクセス（TDMA：time  division  multiple  access）及び／又は符号分割多元アクセス（CDMA：code  division  multiple  access）を使用することを含んでもよい。802.11プロトコルは、多元アクセス技術を含んでもよい。例えば、802.11プロトコルは、空間分割多元アクセス（SDMA：space-division  multiple  access）及び／又はマルチユーザ（MU）MIMO（multiple-input  and  multiple-output）（MU-MIMO：multi-user  multiple-input  and  multiple-output）を含んでもよい。
【００１０】
HEW局104は、802.11ax及び802.11の他の標準に従って動作してもよい。レガシーデバイス106は、802.11a/g/ag/n/ac又は他のレガシー無線通信標準の１つ以上に従って動作してもよい。HEW局104は、HE（high  efficiency）局でもよい。レガシーデバイス106は、局でもよい。
【００１１】
HEW局104は、セルラ電話、ハンドヘルド無線デバイス、ワイヤレス眼鏡、ワイヤレス時計、無線パーソナルデバイス、タブレット、又は802.11axのような802.11プロトコル若しくは他の無線プロトコルを使用して送信及び受信し得る他のデバイスのような無線送信及び受信デバイスでもよい。
【００１２】
BSS100は、プライマリチャネル及び１つ以上のセカンダリチャネル又はサブチャネルで動作してもよい。BSS100は、１つ以上のマスター局102を含んでもよい。実施例によれば、マスター局102は、セカンダリチャネル若しくはサブチャネル又はプライマリチャネルのうち１つ以上でHEW局104のうち１つ以上と通信してもよい。例示的な実施例では、マスター局102は、プライマリチャネルでレガシーデバイス106と通信する。例示的な実施例では、マスター局102は、同時に、セカンダリチャネルのうち１つ以上でHEW局104のうち１つ以上と通信し、プライマリチャネルのみを利用してセカンダリチャネルのいずれも利用せずにレガシーデバイス106のうち１つ以上と通信するように構成されてもよい。
【００１３】
マスター局102は、レガシーIEEE802.11通信技術に従ってレガシーデバイス106と通信してもよい。例示的な実施例では、マスター局102はまた、レガシーIEEE802.11通信技術に従ってHEW局104と通信するように構成されてもよい。レガシーIEEE802.11通信技術は、IEEE802.11axの前のいずれかのIEEE802.11通信技術を示してもよい。
【００１４】
いくつかの実施例では、HEWフレームは、チャネル又はサブチャネルと同じ帯域幅を有するように構成可能でもよく、帯域幅は、20MHz、40MHz、80MHz、160MHz若しくは320MHzの連続帯域幅又は80+80MHz（160MHz）の不連続帯域幅のうち１つでもよい。いくつかの実施例では、1MHz、1.25MHz、2.5MHz、5MHz及び10MHzの帯域幅又はこれらの組み合わせも使用されてもよい。例示的な実施例では、チャネル又はサブチャネルは、利用可能な帯域幅以下のいずれかのサイズでもよい。例示的な実施例では、サブチャネル又はチャネルは、不連続でもよい。HEWフレームは、複数の空間ストリームを送信するために構成されてもよい。
【００１５】
他の実施例では、マスター局102、HEW局104及び／又はレガシーデバイス106はまた、CDMA2000、CDMA2000  1X、CDMA2000  EV-DO、IS-2000（Interim  Standard  2000）、IS-95（Interim  Standard  95）、IS-856（Interim  Standard  856）、LTE（Long  Term  Evolution）、GSM（Global  System  for  Mobile  communications）、EDGE（Enhanced  Data  rates  for  GSM  Evolution）、GERAN（GSM  EDGE）、IEEE802.16（すなわち、WiMAX（Worldwide  Interoperability  for  Microwave  Access））、Bluetooth（登録商標）又は他の技術のような異なる技術を実装してもよい。
【００１６】
OFDMAシステム（例えば、802.11ax）では、アソシエーションされたHEW局104は、BSS100（例えば、80MHzで動作することができる）のサブチャネル（20MHzでもよい）で動作してもよい。HEW局104は、電力節約モードに入ってもよく、電力節約モードから出るときに、HEW局104は、ビーコンを受信することにより、BSS100と再同期する必要があってもよい。ビーコンがプライマリチャネルのみで送信される場合、HEW局104は、ビーコンを受信することができるように、電力節約モードから出るときにプライマリチャネルに移動して同調する必要がある。次に、HEW局104は、20MHzでもよいその動作サブチャネルに戻って再同調する必要があるか、或いはマスター局102に新たな動作サブチャネルを知らせるためにハンドシェイク手順に従う必要がある。例示的な実施例では、HEW局104は、チャネル切り替え中にいくつかのフレームを失うリスクを有してもよい。
【００１７】
例示的な実施例では、HEW局104及び／又はマスター局102は、図１〜８に関してここに開示される実施例のうち１つ以上による送信期間内にトリガーフレーム及び／又はフレーム群に従って生成、送信、受信及び動作するように構成される。
【００１８】
いくつかの実施例は、high-efficiency  Wi-Fi／WLAN及びHEW通信を含むhigh-efficiency無線通信に関する。いくつかのIEEE802.11ax（HEW）の実施例に従って、マスター局102は、HEW制御期間（すなわち、送信機会（TXOP：transmission  opportunity））に媒体の排他的制御を受けるため、（例えば、コンテンション期間中に）無線媒体を競合するように構成されてもよいマスター局として動作してもよい。マスター局102は、HEW制御期間の開始時にHEWマスター同期送信又はトリガーフレームを送信してもよい。マスター局102は、TXOPの持続時間を送信してもよい。HEW制御期間において、HEW局104は、非コンテンションに基づく多元アクセス技術に従ってマスター局102と通信してもよい。これは、デバイスが多元アクセス技術ではなく、コンテンションに基づく通信技術に従って通信する従来のWLAN通信とは異なる。HEW制御期間中に、マスター局102は、１つ以上のHEWフレームを使用してHEW局104と通信してもよい。HEW制御期間中に、レガシーデバイス106は、通信を控えてもよい。いくつかの実施例では、HEWマスター同期送信は、HEW制御及びスケジュール送信又はトリガーフレームと呼ばれてもよい。
【００１９】
いくつかの実施例では、HEW制御期間中に使用される多元アクセス技術は、スケジューリングされたOFDMA技術でもよいが、これは要件ではない。いくつかの実施例では、多元アクセス技術は、TDMA技術又は周波数分割多元アクセス（FDMA：frequency  division  multiple  access）技術でもよい。いくつかの実施例では、多元アクセス技術は、SDMA技術でもよい。
【００２０】
マスター局102はまた、レガシーのIEEE802.11通信技術に従ってレガシーデバイス106と通信してもよい。いくつかの実施例では、マスター局102はまた、レガシー802.11通信技術に従ってHEW制御期間外にHEW局104と通信するように構成可能でもよいが、これは要件ではない。
【００２１】
図２は、いくつかの実施例に従ってOFDMAが無線媒体を共有するために使用される上りリンク（UL：uplink）送信機会のための方法200を示す。図２に示すものは、横軸に沿った時間202と、縦軸に沿った周波数204と、トリガーフレーム206と、UL  PPDU208と、UL  PPDU210と、ブロック確認応答（BA：block  acknowledgement）212である。パケットの送信機は括弧で示されている。例えば、マスター局102は、トリガーフレーム206を送信し、HEW  STA  A  104Aは、UL  PPDU208を送信する。トリガーフレーム206は、リソースマップ214を含んでもよい。リソースマップ214は、HEW  STA  A  104A及びHEW  STA  B  104BがUL送信機会で送信するための１つ以上のサブチャネルの指示を含んでもよい。トリガーフレーム206は、マスター局102により送信されてもよい。マスター局102は、図１に関して説明したマスター局102でもよい。HEW  STA  A  104A及びHEW  STA  B  104Bは、図１に関して説明したHEW局104でもよい。HEW  STA  A  104A及びHEW  STA  B  104Bは、トリガーフレーム206を受信してもよい。
【００２２】
方法200は、HEW  STA  A  104AがUL  PPDU208を送信し、HEW  STA  B  104BがUL  PPDU210を送信する動作208、210に続いてもよい。HEW  STA  A  104A及びHEW  STA  B  104Bは、周波数204の異なる部分でOFDMAに従って、且つリソースマップ214及び持続時間216に従って送信してもよい。
【００２３】
方法200は、マスター局102がUL  PPDU208及びUL  PPDU210のブロック確認応答を送信する動作BAS212に続いてもよい。方法300は終了してもよく、或いは１回以上繰り返してもよい。
【００２４】
図３は、いくつかの実施例に従ってMU-MIMOが無線媒体を共有するために使用されるUL送信機会のための方法300を示す。図３に示すものは、横軸に沿った時間202と、縦軸に沿った周波数204と、トリガーフレーム206と、UL  PPDU308と、UL  PPDU310と、BA312である。パケットの送信機は括弧で示されている。例えば、マスター局102は、トリガーフレーム206を送信し、HEW  STA  A  104Aは、UL  PPDU310を送信する。トリガーフレーム206は、リソースマップ214を含んでもよい。リソースマップ214は、HEW  STA  A  104A及びHEW  STA  B  104BがUL送信機会で送信するための１つ以上のサブチャネル及び空間ダイバーシチチャネルの指示を含んでもよい。トリガーフレーム206は、マスター局102により送信されてもよい。マスター局102は、図１に関して説明したマスター局102でもよい。HEW  STA  A  104A及びHEW  STA  B  104Bは、図１に関して説明したHEW局104でもよい。HEW  STA  A  104A及びHEW  STA  B  104Bは、トリガーフレーム206を受信してもよい。
【００２５】
方法300は、HEW  STA  A  104AがUL  PPDU308を送信し、HEW  STA  B  104BがUL  PPDU310を送信する動作308、310に続いてもよい。HEW  STA  A  104A及びHEW  STA  B  104Bは、周波数204の同じ部分でMU-MIMOに従って、且つリソースマップ214及び持続時間216に従って送信してもよい。
【００２６】
方法300は、マスター局102がUL  PPDU308及びUL  PPDU310のBAを送信する動作BAS312に続いてもよい。方法300は終了してもよく、或いは１回以上繰り返してもよい。
【００２７】
図４は、いくつかの実施例に従ってOFDMAが無線媒体を共有するために使用されるUL送信機会のための方法400を示す。図４に示すものは、横軸に沿った時間202と、縦軸に沿った周波数204と、トリガーフレーム206と、UL  PPDU408と、UL  PPDU410と、BA212である。方法400は方法200と類似するが、方法400では、HEW  STA  A  104Aは、UL  PPDU408に使用され得る時間412を埋めるためのマスター局102に送信する十分なデータを有さなくてもよい。例示的な実施例では、HEW  STA  A  104Aは、チャネルをアイドルにしたままにしてもよい時間410中に送信しない。レガシーデバイス106及び／又はHEW  STA104は、時間410中にHEW  STA  A  104に割り当てられたチャネルへのアクセスを獲得してもよく、これは問題を生じる可能性がある。例えば、マスター局102は、BA212を送信するのを待機する必要があってもよい。HEW  STA  A  104A及びHEW  STA  A  104Bは、マスター局102がBAS212を送信するのを待機して、より多くのエネルギーを消費する可能性がある。
【００２８】
図５は、いくつかの実施例に従ってMU-MIMOが無線媒体を共有するために使用されるUL送信機会のための方法500を示す。図５に示すものは、横軸に沿った時間202と、縦軸に沿った周波数204と、トリガーフレーム206と、UL  PPDU308と、UL  PPDU510と、BA312である。方法500は方法200と類似するが、方法500では、HEW  STA  A  104Aは、UL  PPDU510に使用され得る時間514を埋めるためのマスター局102に送信する十分なデータを有さなくてもよい。例示的な実施例では、HEW  STA  A  104Aは、チャネルをアイドルにしたままにしてもよい時間512中に送信しない。レガシーデバイス106及び／又はHEW  STA104は、時間512中にHEW  STA  A  104に割り当てられたチャネルへのアクセスを獲得してもよく、これは問題を生じる可能性がある。例えば、マスター局102は、BA312を送信するのを待機する必要があってもよい。HEW  STA  A  104A及びHEW  STA  A  104Bは、マスター局102がBAS312を送信するのを待機して、より多くのエネルギーを消費する可能性がある。方法500は終了してもよく、或いは１回以上繰り返されてもよい。
【００２９】
図６は、いくつかの実施例に従ってOFDMAが無線媒体を共有するために使用されるUL送信機会のための方法600を示す。図６に示すものは、横軸に沿った時間202と、縦軸に沿った周波数204と、トリガーフレーム206と、UL  PPDU408と、UL  PPDU210と、BA212である。方法600は方法400と類似するが、方法600では、HEW  STA  A  104Aは、UL  PPDU408に使用され得る時間412を埋めるためのマスター局102に送信する十分なデータを有さなくてもよいが、これらの実施例では、EOP  PAD620で時間410を埋める。EOP  PAD620は、他のレガシーデバイス106又はHEW局104が無線媒体で送信しないように時間410を埋めるためのパディングビット（pad  bit）又はパディングパケット（pad  packet）でもよい。マスター局102は、EOP  PAD620を復号してもよく、これはエネルギーを消費し得る。HEW  STA  A  104Aは、EOP  PAD620を送信するのにエネルギーを消費する。方法600は終了してもよく、或いは１回以上繰り返されてもよい。
【００３０】
図７は、いくつかの実施例による物理レイヤコンバージェンス手順（PLCP：physical  layer  convergence  procedure）プロトコルデータユニット（PPDU：PLCP  protocol  data  unit）及びレガシー信号（L-SIG）持続時間のフレームフォーマットを示す。図７に示すものは、レガシーショートトレーニング（L-STF：legacy  short-training）702フィールドと、レガシーロングトレーニング（L-LTF：legacy  long-training）704フィールドと、L-SIG706フィールドと、高スループット（HT：high-throughput）SIG708フィールドと、HTショートトレーニング（HT-STF：HT  short-training）710フィールドと、１つ以上のHTロングトレーニング（HT-LTF：HT  long-training）712フィールドと、データ714と、SIG拡張（EXT）716と、確認応答（ACK）718と、SIG  EXT720と、持続時間750と、持続時間752である。
【００３１】
L-SIG706の持続時間752フィールドは、持続時間752に設定されてもよい。例示的な実施例では、マスター局102は、HEW局104及び／又はレガシーデバイス106からの送信機会の要求に応答してもよい。次に、マスター局102は、HEW局104及び／又はレガシーデバイス106が送信するデータの持続時間を認識してもよい。L-SIG706フィールドの持続時間752は、MAC持続時間に初期PPDUの持続時間を加えたもの−プリアンブル長−PHYヘッダ長にACK718及びSIG拡張720の持続時間を加えたものに等しい持続時間752に設定されてもよい。
【００３２】
図８は、いくつかの実施例による上りリンク送信機会のための方法800を示す。図８に示すものは、横軸に沿った時間840と、縦軸842に沿った送信機である。送信機は、マスター局102、HEW局（STA）A  104A、HEW  STA  B  104B及びHEW  STA  C  104Cである。マスター局102は、図１に関して説明したマスター局102でもよい。HEW  STA  A  104A、HEW  STA  B  104B及びHEW  STA  C  104Cは、図１に関して説明したHEW局104でもよく、OFDMA及び／又はMU-MIMOに従って送信してもよい。
【００３３】
方法800は、マスター局102がトリガーフレーム807を送信する時点850に始まってもよい。トリガーフレーム807は、L-STF832と、L-LTF834と、L-SIG836と、トリガー808とを含んでもよい。例示的な実施例では、トリガー808は、トリガーフレームと呼ばれてもよい。L-STF832は、レガシーショートトレーニングフィールドでもよい。L-LTF834は、レガシーロングトレーニングフィールドでもよい。L-SIG836は、レガシー信号フィールドでもよい。トリガー808は、媒体アクセス制御（MAC：media  access  control）プロトコルデータユニット（MPDU：MAC  Protocol  Data  Unit）又は集約MPDU（A-MPDU：aggregate  MPDU）のようなフレームでもよい。
【００３４】
トリガー808は、MAC持続時間806と、リソースマップ（図示せず）とを含んでもよい。リソースマップは、HEW  STA104のためのサブチャネルのような割り当てを示してもよい。MAC持続時間806は、送信機会の長さを示す持続時間でもよい。例えば、送信機会は時間854で始まり、時間856に進んでもよい。例示的な実施例では、送信機会は、異なる開始及び終了を有すると考えられてもよい。例えば、送信機会は、時間850に始まり、時間860に終わると考えられてもよく、或いは他の例として、SIFS828及び／又はSIFS830を含んでもよい。マスター局102は、HEW  STA104から受信した情報に基づいてMAC持続時間806を決定してもよい。例えば、マスター局102は、HEW  STA104がマスター局102に送信するかなりの量のデータを有することを決定し、上りリンクデータをマスター局102に送信するためにHEW  STA104により使用される時間を確保するためのMAC持続時間806を設定してもよい。レガシーデバイス106は、MAC持続時間806に基づいて無線媒体の使用を遅らせてもよい。
【００３５】
方法800は、HEW  STA104が上りリンク送信を開始する前の期間を待機してもよい時間852に続いてもよい。期間は、10μ秒（s）又は16μsのような時間でもよいSIFS（short  interframe  space）期間828でもよい。いくつかの実施例では、HEW  STA104は、送信前に異なる期間を待機してもよい。
【００３６】
方法800は、HEW  STA104がリソースマップに従って上りリンクデータを送信する時間854に続いてもよい。例えば、HEW  STA  A  104Aは、L-STF812A、L-LTF814A、L-SIG816A及びA-MPDU818Aを送信してもよい。HEW  STA104は、OFDMA及び／又はMU-MIMOに従って同時に送信してもよい。HEW  STA104が使用する周波数又はサブチャネルは、リソースマップに基づいて決定される。L-SIG816は、L-SIG持続時間810を含んでもよい。
【００３７】
HEW  STA104は、トリガーフレーム807に基づいてL-SIG持続時間810を決定してもよい。例えば、HEW  STA104は、MAC持続時間806に基づいてL-SIG持続時間810を決定してもよい。いくつかの実施例では、HEW  STA104は、MAC持続時間302から２つのSIFS828、830を引いたもの、MU-BAS838（時間858〜時間860）の時間を引いたもの、及び／又はL-STF812、L-LTF814及びL-SIG816を含んでもよい時間を引いたものとしてL-SIG持続時間810を決定してもよい。HEW-STA104は、マスター局102がMU-BAS838を送信するための時間を予め記憶しておいてもよく、或いはHEW  STA104は、時間を決定してもよく、或いはマスター局102から時間を受信してもよい。例示的な実施例では、HEW  STA104は、どのくらいの長さだけHEW  STA104がデータを送信する必要があるかを示すリソースマップにおける持続時間に基づいて、L-SIG持続時間810を決定してもよい。例示的な実施例では、L-SIG持続時間810を時間856に設定することは、他のHEW  STA104又はレガシー局106が送信機会に参加することを遅らせてもよい。いくつかの実施例では、L-SIG持続時間810は、時間858又は時間860に進むように設定されてもよい。
【００３８】
したがって、HEW  STA104は、他のデバイスが無線媒体を競合することなく、A-MPDU818が終了する時間から856まで送信することができなくてもよい。例示的な実施例では、マスター局102は、HEW  STA104が時間856までL-SIG持続時間810を設定することを予期してもよい。マスター局102は、HEW  STA104がデータを送信するために時間856まで全体の時間を潜在的に使用することを許容するために、MU-BAS838を送信するのに時間858まで待機してもよい。
【００３９】
HEW  STA104は、時間855にA-MPDU818を送信してもよい。A-MPDU818は、マスター局102のためのデータを含んでもよい。A-MDPU818は、どのくらいの量のデータをHEW  STA104がマスター局102に送信するかに基づいて異なる時間に終了してもよい。
【００４０】
方法800は、HEW  STA104がデータを送信し終える期間で、時間856に続いてもよい。マスター局102は、MU-BAS838を送信する前にSIFS830を待機してもよい。方法800は、マスター局102がMU-BAS838を送信する858に続いてもよい。MU-BAS838は、マルチユーザのブロック確認応答でもよい。いくつかの実施例では、MU-BAS838は、確認応答でもよい。次に、方法800は860で終了してもよい。送信機会が終わり、マスター局102及び／又はHEW  STA104は、無線媒体を競合してもよい。例示的な実施例では、方法800は、１回以上繰り返してもよい。例示的な実施例では、マスター局102は、MU-BA838において他のMAC持続時間を設定することにより、送信機会を拡張してもよい。
【００４１】
例示的な実施例では、HEW  STA104がL-SIG持続時間810を時間856に設定し、A-MPDU816の終わりから856まで送信しないことは、HEW  STA104及びマスター局102の双方において電力を節約し得る。いくつかの実施例では、HEW  STA104は、A-MDPU818の送信後に電力節約モードに入り、時間856又は858で立ち上がってもよい。例示的な実施例では、HEW  STA104は、レガシーデバイスを遅らせるために、リソースマップに示されていない少なくとも１つの他のチャネルでL-SIG816を送信してもよい。例えば、HEW  STA104は、レガシーデバイス106が同調され得るプライマリチャネルでL-SIG816を送信してもよい。
【００４２】
図９は、いくつかの実施例によるHEW局及び／マスター局900を示す。HEW局及び／又はマスター局900は、HEW局104（図１）又はマスター局102（図１）のような１つ以上の他のHEWデバイスと通信し、レガシーデバイス106（図１）と通信するように構成されてもよいHEW準拠のデバイスでもよい。HEW局104及びマスター局102はまた、HEWデバイスとも呼ばれてもよい。HEW局及び／又はマスター局900は、マスター局102（図１）又はHEW局104（図１）として動作するのに適してもよい。実施例によれば、HEW局及び／又はマスター局900は、とりわけ、アンテナ901のような送信／受信素子、トランシーバ902、物理レイヤ回路（PHY）904及び媒体アクセス制御レイヤ回路（MAC）906を含んでもよい。PHY904及びMAC906は、HEW準拠のレイヤであり、１つ以上のレガシーIEEE802.11標準にも準拠してもよい。MAC906は、とりわけ、物理プロトコルデータユニット（PPDU：physical  protocol  data  unit）を構成するように構成されてもよく、PPDUを送信及び受信するように構成されてもよい。HEW局及び／又はマスター局900はまた、ここに記載の様々な動作を実行するように構成された他の回路908及びメモリ910を含んでもよい。回路908は、ハードウェア処理回路でもよい。回路908は、トランシーバ902に結合されてもよく、これは、送信／受信素子901に結合されてもよい。図９は、別々の構成要素として回路908及びトランシーバ902を示しているが、回路908及びトランシーバ902は、電子パッケージ又はチップ内に一緒に統合されてもよい。
【００４３】
いくつかの実施例では、MAC906は、HEW制御期間に媒体の制御を受けてHEW  PPDUを構成するためにコンテンション期間中に無線媒体を競合するように構成されてもよい。いくつかの実施例では、MAC906は、チャネルコンテンション設定、送信電力レベル及びクリアチャネル評価（CCA：clear  channel  assessment）レベルに基づいて無線媒体を競合するように構成されてもよい。
【００４４】
PHY904は、HEW  PPDUを送信するように構成されてもよい。PHY904は、変調／復調、アップコンバート／ダウンコンバート、フィルタリング、増幅等のための回路を含んでもよい。いくつかの実施例では、ハードウェア処理回路908は、１つ以上のプロセッサを含んでもよい。ハードウェア処理回路908は、RAM又はROMに記憶されている命令に基づいて、或いは特殊目的回路に基づいて、機能を実行するように構成されてもよい。いくつかの実施例では、ハードウェア処理回路908は、HEWデバイス104が送信機会中の持続時間を設定することのように、図１〜８に関してここに開示した実施例のうち１つ以上に従って、トリガーフレーム及び／又は送信機会に従って生成、送信、受信及び動作するように構成されてもよい。
【００４５】
いくつかの実施例では、２つ以上のアンテナ901は、PHY904に結合され、HEWパケットの送信を含む信号を送信及び受信するように構成されてもよい。トランシーバ902は、HEW  PPDUのようなデータと、HEW局及び／又はマスター局900がパケットに含まれる設定に従ってチャネルコンテンション設定を適合すべき指示を含むパケットとを送信及び受信してもよい。メモリ910は、HEWデバイス104が持続時間を設定することのように、図１〜８に関してここに開示した実施例のうち１つ以上に従って、トリガーフレーム及び送信機会に従って生成、送信、受信及び動作するための動作を実行するように他の回路を構成するための情報を記憶してもよい。
【００４６】
いくつかの実施例では、HEW局及びマスター局900は、マルチキャリア通信チャネル上でOFDMA通信信号を使用して通信するように構成されてもよい。いくつかの実施例では、HEW局及び／又はマスター局900は、IEEE802.11-2012、802.11n-2009、802.11ac-2013、802.11axを含むIEEE（Institute  of  Electrical  and  Electronics  Engineers）標準、DensiFi、WLANのための標準及び／又は提案仕様、又は図１に関して記載した他の標準のような１つ以上の特定の通信プロトコルに従って通信するように構成されてもよいが、開示の実施例の範囲はこの点に限定されず、HEW局及び／又はマスター局900はまた、他の技術及び標準に従って通信を送信及び／又は受信することに適してもよい。いくつかの実施例では、HEW局及び／又はマスター局900は、802.11n又は802.11acの４倍のシンボル持続時間を使用してもよい。
【００４７】
いくつかの実施例では、HEW局及び／又はマスター局900は、パーソナルデジタルアシスタント（PDA）、無線通信機能付きのラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ、医療デバイス（例えば、心拍数モニタ、血圧モニタ等）、基地局、802.11若しくは802.16のような無線標準用の送信／受信デバイス、又は無線で情報を受信及び／又は送信し得る他のデバイスのような、ポータブル無線通信デバイス又はモバイルデバイスの一部でもよい。いくつかの実施例では、ポータブル無線通信デバイスは、キーボード、ディスプレイ、不揮発性メモリポート、複数のアンテナ901、グラフィックプロセッサ、アプリケーションプロセッサ、スピーカ及び他のポータブル無線通信デバイス要素のうち１つ以上を含んでもよい。ディスプレイは、タッチスクリーンを含むLCDスクリーンでもよい。
【００４８】
アンテナ901は、例えば、ダイポールアンテナ、モノポールアンテナ、パッチアンテナ、ループアンテナ、マイクロストリップアンテナ、又はRF信号の送信に適した他の種類のアンテナを含み、１つ以上の指向性又は無指向性アンテナを含んでもよい。いくつかのMIMO（multiple-input  multiple-output）の実施例では、アンテナ901は、空間ダイバーシチ、及び生じ得る異なるチャネル特性を利用するために効果的に分離されてもよい。
【００４９】
HEW局及び／又はマスター局900は、複数の別々の機能要素を有するものとして示されているが、機能要素のうち１つ以上は結合されてもよく、デジタルシグナルプロセッサ（DSP）及び／又は他のハードウェア要素を含む処理要素のようなハードウェアにより構成された要素の組み合わせにより実装されてもよい。例えば、いくつかの要素は、１つ以上のマイクロプロセッサ、DSP、フィールドプログラマブルゲートアレイ（FPGA）、特定用途向け集積回路（ASIC）、無線周波数集積回路（RFIC：radio-frequency  integrated  circuit）並びにここに記載の機能を少なくとも実行するための様々なハードウェア及び論理回路の組み合わせを含んでもよい。いくつかの実施例では、機能要素は、１つ以上の処理要素で動作する１つ以上のプロセスを示してもよい。
【００５０】
以下の例は、更なる実施例に関する。
【００５１】
例１は、HEW（high-efficiency  wireless  local-area  network）局である。HEW局は、HEWマスター局から第１の持続時間を含むトリガーフレームを受信し、第１の持続時間に基づいて第２の持続時間を決定し、第２の持続時間を示すフィールドを含むパケットを生成し、直交周波数分割多元アクセス（OFDMA：orthogonal  frequency  division  multiple-access）及びマルチユーザMIMO（MU-MIMO：multiple-user  multiple-input  multiple-output）のグループの中から少なくとも１つに従って、上りリンク送信機会において第２の持続時間を示すフィールドを含むパケットをマスター局に送信するように構成された回路を含んでもよい。
【００５２】
例２では、例１の対象物は、第２の持続時間を示すフィールドが、レガシー信号フィールド、媒体アクセス制御（MAC：media  access  control）プロトコルデータユニット（MPDU：MAC  Protocol  Data  Unit）及び集約MPDU（A-MPDU：aggregate  MPDU）のグループのうち１つであることを任意選択で含んでもよい。
【００５３】
例３では、例１又は２の対象物は、トリガーフレームが、リソースマップを含み、回路が、リソースマップで示されたチャネルでパケットを送信するように更に構成されることを任意選択で含んでもよい。
【００５４】
例４では、例１〜３のいずれかの対象物は、第２の持続時間が、第１の持続時間からプリアンブル持続時間の持続時間、物理ヘッダ持続時間、２つのSIFS（short  interframe  space）持続時間及びマルチユーザブロック確認応答持続時間を引いたものであり、プリアンブル持続時間が、パケットのプリアンブルの持続時間であり、物理ヘッダ持続時間が、パケットの物理ヘッダの持続時間であることを任意選択で含んでもよい。
【００５５】
例５では、例１〜４のいずれかの対象物は、第２の持続時間が、マスター局がパケットの確認応答を送信する前の１つのSIFS（short  interframe  space）まで及ぶように決定されることを任意選択で含んでもよい。
【００５６】
例６では、例１〜５のいずれかの対象物は、第２の持続時間が、パケットが送信機会のために許容されている最大の持続時間の終わりまで及ぶように決定されることを任意選択で含んでもよい。
【００５７】
例７では、例１〜６のいずれかの対象物は、トリガーフレームが、マスター局により複数のHEW局に送信されることを任意選択で含んでもよい。
【００５８】
例８では、例１〜７のいずれかの対象物は、回路が、パケットが送信された後に電力節約モードに入り、第２の持続時間の後に電力節約モードから立ち上がるように更に構成されることを任意選択で含んでもよい。
【００５９】
例９では、例１〜８のいずれかの対象物は、回路が、パケットが第２の持続時間より短い所定の持続時間である場合、電力節約モードに入るように更に構成されることを任意選択で含んでもよい。
【００６０】
例１０では、例１〜９のいずれかの対象物は、パケットが、レガシーショートトレーニングフィールド（L-STF：legacy  short-training  field）、レガシーロングトレーニングフィールド（L-LTF：legacy  long-training  field）、レガシー信号フィールド（L-SIG：legacy  signal  field）及び集約媒体アクセス制御（MAC：media  access  control）プロトコルデータユニット（MPDU：MAC  Protocol  Data  Unit）の媒体アクセス制御持続時間を含むことを任意選択で含んでもよい。
【００６１】
例１１では、例１〜１０のいずれかの対象物は、マスター局が、HEW局がパケット内で送信する必要があるデータの量を認識していないことを任意選択で含んでもよい。
【００６２】
例１２では、例１〜１１のいずれかの対象物は、トリガーフレームが、リソースマップを含み、回路が、レガシーデバイスを遅らせるために、リソースマップに示されたチャネル及び少なくとも１つの他のチャネルでパケットを送信するように更に構成されることを任意選択で含んでもよい。
【００６３】
例１３では、例１〜１２のいずれかの対象物は、第２の持続時間が、パケットのレガシー部分で示されることを任意選択で含んでもよい。
【００６４】
例１４では、例１〜１３のいずれかの対象物は、回路が、IEEE（Institute  of  Electronic  and  Electrical  Engineers）802.11acシンボル持続時間と比較して４倍のシンボル持続時間で送信するように更に構成されることを任意選択で含んでもよい。
【００６５】
例１５では、例１〜１４のいずれかの対象物は、回路に結合されたメモリを任意選択で含んでもよい。
【００６６】
例１６では、例１〜１４のいずれかの対象物は、回路に結合された１つ以上のアンテナを任意選択で含んでもよい。
【００６７】
例１７は、HEW（high-efficiency  wireless  local-area  network）局により実行される方法である。方法は、HEWマスター局から第１の持続時間を含むトリガーフレームを受信するステップと、第１の持続時間に基づいて第２の持続時間を決定するステップと、第２の持続時間を備えるパケットを生成するステップと、直交周波数分割多元アクセス（OFDMA：orthogonal  frequency  division  multiple-access）及びマルチユーザMIMO（MU-MIMO：multiple-user  multiple-input  multiple-output）のグループの中から少なくとも１つに従って、上りリンク送信機会において第２の持続時間を備えるパケットをマスター局に送信するステップとを含む。
【００６８】
例１８では、例１７の対象物は、トリガーフレームが、リソースマップを含み、回路が、リソースマップで示されたチャネルでパケットを送信するように更に構成されることを任意選択で含んでもよい。
【００６９】
例１９では、例１７又は１８の対象物は、第２の持続時間が、第１の持続時間からプリアンブル長の持続時間、物理ヘッダ持続時間、２つのSIFS（short  interframe  space）持続時間及びマルチユーザブロック確認応答持続時間を引いたものであり、プリアンブル持続時間が、パケットのプリアンブルの持続時間であり、物理ヘッダ持続時間が、パケットの物理ヘッダの持続時間であることを任意選択で含んでもよい。
【００７０】
例２０では、例１７〜１９のいずれかの対象物は、第２の持続時間が、マスター局がパケットの確認応答を送信する前の１つのSIFS（short  interframe  space）まで及ぶように決定されることを任意選択で含んでもよい。
【００７１】
例２１では、例１７〜２０のいずれかの対象物は、第２の持続時間が、パケットが送信機会のために許容されている最大の持続時間の終わりまで及ぶように決定されることを任意選択で含んでもよい。
【００７２】
例２２では、例１７〜２１のいずれかの対象物は、第２の持続時間が、パケットのレガシー部分で示されることを任意選択で含んでもよい。
【００７３】
例２３は、HEW（high-efficiency  wireless  local-area  network）局による通信のための動作を実行するために、１つ以上のプロセッサにより実行される命令を記憶する過渡的でないコンピュータ読み取り可能記憶媒体である。命令は、HEW局に対して、HEWマスター局から第１の持続時間を含むトリガーフレームを受信させ、第１の持続時間に基づいて第２の持続時間を決定させ、第２の持続時間を備えるパケットを生成させ、直交周波数分割多元アクセス（OFDMA：orthogonal  frequency  division  multiple-access）及びマルチユーザMIMO（MU-MIMO：multiple-user  multiple-input  multiple-output）のグループの中から少なくとも１つに従って、上りリンク送信機会において第２の持続時間を備えるパケットをマスター局に送信させるように、１つ以上のプロセッサを構成する。
【００７４】
例２４では、例２４の対象物は、トリガーフレームが、リソースマップを含み、回路が、リソースマップで示されたチャネルでパケットを送信するように更に構成されることを任意選択で含んでもよい。
【００７５】
例２５では、例２３又は２４の対象物は、第２の持続時間が、第１の持続時間からプリアンブル長の持続時間、物理ヘッダ持続時間、２つのSIFS（short  interframe  space）持続時間及びマルチユーザブロック確認応答持続時間を引いたものであり、プリアンブル持続時間が、パケットのプリアンブルの持続時間であり、物理ヘッダ持続時間が、パケットの物理ヘッダの持続時間であることを任意選択で含んでもよい。
【００７６】
要約は、読者が技術的開示の本質及び要旨を確認することができることを要約に求める37  C.F.R.  Section  1.72(b)に従うために提供されている。これが特許請求の範囲又は意味を限定又は解釈されるために使用されないという理解で提示されている。以下の特許請求の範囲は、各請求項が別々の実施例として独立して、詳細な説明に組み込まれる。
【図１】
0006743003.tif 000002
【図２】
0006743003.tif 000003
【図３】
0006743003.tif 000004
【図４】
0006743003.tif 000005
【図５】
0006743003.tif 000006
【図６】
0006743003.tif 000007
【図７】
0006743003.tif 000008
【図８】
0006743003.tif 000009
【図９】
0006743003.tif 000010